【手続補正書】
【提出日】平成18年6月27日(2006.6.27)
【手続補正１】
【補正対象書類名】明細書
【補正対象項目名】特許請求の範囲
【補正方法】変更
【補正の内容】
【特許請求の範囲】
【請求項１】  左右一対の前輪及び後輪が備えられ後方側を開放した車体フレームと、該車体フレームに立設された支柱と、該支柱に設けられた左右一対のアームに具備される左右一対の座部と、前記支柱に取り付けられ後方側を開放した手摺枠体と、前記座部後方に配される背受部とからなる移乗装置において、前記座部を上下に昇降可能とするため前記支柱には昇降機構を設け、前記アームを被移乗者の膝の前方部に位置する前後方向の軸で前記支柱に枢着することによって、前記座部を外側上方から内側下方へ偏心回動するよう構成するとともに、前記アームはクランク状の形状であって、被移乗者の膝部を迂回しながら回動可能かつ後方部に具備された座部を大腿部下方に挿し込むことが可能であることを特徴とした移乗装置。
【請求項２】  上記座部あるいは背受部を回動自在な取付部を介して、傾動可能な構成としたことを特徴とする請求項１に記載の移乗装置。
【請求項３】  上記アームの取付部に、アーム後端部に付設された座部を外側上方に位置させたとき該両座部を互いに離間・接近させることができる変位機構を設けたことを特徴とする請求項１または請求項２のいずれか一項に記載の移乗装置。
【請求項４】  上記変位機構を上記支柱の前後面に設けた一対のブラケットと、前後方向に空孔部を設けた軸受と左右方向に空孔部を設けた第二の軸受を交差するよう固着してなる二重の軸受部材と、アームの基端に設けた左右方向の軸に前後方向の溝部を設けてなる軸部とからなり、前記取付部材の第二の軸受にアームの軸部を挿通し、該軸受部材を前記ブラケット間で前後方向の軸をアームに固着された軸の溝部に挿通するように固定し、互いの軸の交差する部分に隙間（Ｓ３）を設け、該アームを外側上方から内側下方に回動自在とするとともに、アームが外側上方に位置する場合には互いの座部が水平回動し座部の間隔を調節できるよう構成したことを特徴とする請求項１から請求項３のいずれか一項に記載の移乗装置。
【請求項５】  上記座部の下側後部に流体あるいは気体を内蔵した袋体を備え、該袋体は座部の下降時に物体との接触によって座部後方部に膨出するよう構成したことを特徴とする請求項１から請求項４のいずれか一項に記載の移乗装置。
【手続補正２】
【補正対象書類名】明細書
【補正対象項目名】０００３
【補正方法】変更
【補正の内容】
【０００３】
しかしながら、前者、後者ともに、ペダルを踏んで支柱、枝柱を起立させる構造であるため、受け板、保持具に被移乗者の上半身をあずけた状態で、支柱、枝柱をゆっくり、静かに起立、傾斜させることは容易ではなく、そのため、ペダルを強く踏み過ぎて支柱、枝柱を急激に起立、傾斜させることがあって、姿勢が不安定となり、被移乗者の目線角度が急に変化することにより恐怖感を感じさせることがある。さらにこの点は、被移乗者を当該装置より、目的とする被移乗物に降ろすときには被移乗者の体重重心の降下の勢いをも考慮して操作しなければならず、その不安感のために当該装置の使用拒否を招くこともあった。
【手続補正３】
【補正対象書類名】明細書
【補正対象項目名】０００６
【補正方法】変更
【補正の内容】
【０００６】
【課題を解決するための手段】
本発明は、左右一対の前輪及び後輪が備えられ後方側を開放した車体フレームと、該車体フレームに立設された支柱と、該支柱に設けられた左右一対のアームに具備される左右一対の座部と、前記支柱に取り付けられ後方側を開放した手摺枠体と、前記座部後方に配される背受部とからなる移乗装置において、前記座部を上下に昇降可能とするため前記支柱には昇降機構を設け、前記アームを被移乗者の膝の前方部に位置する前後方向の軸で前記支柱に枢着することによって、前記座部を外側上方から内側下方へ偏心回動するよう構成するとともに、前記アームはクランク状の形状であって、被移乗者の膝部を迂回しながら回動可能かつ後方部に具備された座部を大腿部下方に挿し込むことが可能であることを特徴する。
【手続補正４】
【補正対象書類名】明細書
【補正対象項目名】０００７
【補正方法】変更
【補正の内容】
【０００７】
また、上記座部あるいは背受部を回動自在な取付部を介して、傾動可能な構成としたことを特徴とする。
【手続補正５】
【補正対象書類名】明細書
【補正対象項目名】０００９
【補正方法】変更
【補正の内容】
【０００９】
そして、上記変位機構を上記支柱の前後面に設けた一対のブラケットと、前後方向に空孔部を設けた軸受と左右方向に空孔部を設けた第二の軸受を交差するよう固着してなる二重の軸受部材と、アームの基端に設けた左右方向の軸に前後方向の溝部を設けてなる軸部とからなり、前記取付部材の第二の軸受にアームの軸部を挿通し、該軸受部材を前記ブラケット間で前後方向の軸をアームに固着された軸の溝部に挿通するように固定し、互いの軸の交差する部分に隙間（Ｓ３）を儲け、該アームを外側上方から内側下方に回動自在とするとともに、アームが外側上方に位置する場合には互いの座部が水平回動し座部の間隔を調節できるよう構成したことを特徴とする。
【手続補正６】
【補正対象書類名】明細書
【補正対象項目名】００１１
【補正方法】変更
【補正の内容】
【００１１】
【作用】
本発明に係る移乗装置を使用して、例えば、ベッドから車椅子へ、車椅子から便座への移乗にあたっては、介護者の操作により、次の手順に従って行う。
（イ）ベッドの場合には、被移乗者をベッドサイドに腰掛け姿勢にする。なお、車椅子あるいは便座等においては、その着座した状態で良い。
（ロ）背受部及び座部を外側上方に回動させ、平面視において当該移乗装置の後方側が開放した状態とし、この開放した空間に被移乗者が入るよう移乗装置を移動させる。
（ハ）座部を大腿部の側部に位置するように移乗装置を移動させる。なお、車椅子等のように両側部に枠体がある場合においても、当該移乗装置の座部は外側上方に位置する際には互いに水平回動自在であり両座部間の幅は適宜調節可能であるので、前記枠体と大腿部間に容易に挿入することが可能である。
（ニ）座部の昇降機構を操作し、座部の高さを調節した後、座部を外側上方から内側下方へ回動し、被移乗者の大腿部に沿って大腿部とベッドあるいは椅子体間にできる三角形状の空間に座部を挿し込む。
（ホ）背受部を被移乗者の背中に沿って回動させ、背中を保持する。
（ヘ）座部の昇降機構を操作し、被移乗者をベッドあるいは車椅子から抱き上げた状態にする。このとき、座部に設けられた傾動機構により、被移乗者の乗車体勢に順応するように座部が傾斜し、被移乗者の耐圧を座部全体で保持することが可能であり、乗り心地の良い構成となっている。さらに、背受部にも同様に傾動機構が備えられており、背中の角度にあわせ背受部が傾動自在の構成となっている。
（ト）移乗対象物上に被移乗者を移動させ、昇降機構を操作し、被移乗者を対象物に着座させる。この時、座部と対象物間に大腿部を挟み込む恐れがあるが、座部下方に設けられた挟み込み防止の袋体により座部が対象物に接触すると袋体が後方に膨出し、大腿部を押し上げることによって挟み込みを防止できる構成となっている。
（チ）然る後、座部を外側上方へ回動させるとともに、背受部を背中から外側に回動する。この状態で当該移乗装置は平面視において後方側が開放しているのでそのまま前方に引き出せば移乗を完了する。
（リ）当該両座部は一定の間隔離間されており、また大腿部を保持するものであるので臀部下方は開放されている。すなわち、便座上に移動することで用を足すことも可能である。
【手続補正７】
【補正対象書類名】明細書
【補正対象項目名】００１３
【補正方法】変更
【補正の内容】
【００１３】
この移乗装置１は、下部に左右一対の前輪２，２及び後輪３，３を取り付けた車体フレーム４を備えている。この車体フレーム４は、平面視において後方側が開放された凹部空間Ｓ１を形成するように略々コ字状に構成されたものであって、主として基部プレート５と支枠６，６とからなる。なお、本実施例では、車体フレーム４の幅を調節できるよう拡縮機構７を設けたものとしている。
【手続補正８】
【補正対象書類名】明細書
【補正対象項目名】００１６
【補正方法】変更
【補正の内容】
【００１６】
１４は昇降機構を備えた支柱であり、本実施例では角柱になっている。この支柱１４は前記車体フレーム４の基部プレート５に立設された枠体１５の外周部を摺動自在にライニング１６，１６，・・・を介して摺動枠１７が取り付けられており、該枠体１５及び摺動枠１７に以下に説明する昇降機構を設けたものである。
【手続補正９】
【補正対象書類名】明細書
【補正対象項目名】００１８
【補正方法】変更
【補正の内容】
【００１８】
前記支柱１４の摺動枠１７には被移乗者Ｍの足部を迂回するクランク状の形状のアーム３１を設け、該アーム３１には座部３２が備えられている。３３及び３４は摺動枠１７の正面及び背面に固着されたブラケットである。このブラケット３３，３４間でアーム３１の基部に固着した軸受部３５を軸３６を用いて回動自在に枢着している。３７は軸受部３５前端部に固着したフランジであって、レバー３８に係止するよう切欠き部３７ａ，３７ａを備えている。すなわち、該アーム３１は正面視において外側上方及び内側下方夫々の位置で保持できる構成である。詳述するとアーム３１は被移乗者Ｍの膝部前方部に位置する軸受部３５から膝部を迂回し、さらに着座しているもの（例えばベッドＢ等）と被移乗者Ｍの大腿部間にできる三角形状の空間Ｓ２に差し込まれるように平面視において略々Ｃ字あるいはコ字状に構成されている。そして、前記ブラケット３３，３４間に軸受部３５を位置させ、前後方向の軸３６により回動自在に枢着されている。なお、この軸受部３５には図７に示すように切欠き部３７ａ，３７ａを備えたフランジ３７が固着されている。この切欠き部３７ａ，３７ａにはブラケット３３に固着された一対の軸３３ａ，３３ａに係止されるレバー３８の係止爪３８ａが係止され、アーム３１の回動を規制している。また、３９は前記レバー３８の抜け防止のためのプレートである。
【手続補正１０】
【補正対象書類名】明細書
【補正対象項目名】００１９
【補正方法】変更
【補正の内容】
【００１９】
なお、図面においては、アームに設けられる変位機構の一実施例を示すもので、上記と同じ部分には同じ符号を付している。上記ブラケット３３，３４間に前後方向の軸受部４０を設け、さらに左右方向の軸受部４１を互いに挿通する軸３６，４２が交差する状態で固着したもの、すなわち二重軸受部を取り付けている。なお、ブラケット３３，３４は前述したものと同様の構成である。この左右方向の軸受部４１にはアーム３１の基部に固着した軸４２を挿通し、さらに前後方向の軸受部４０をブラケット３３，３４間で軸３６により枢着している。なお、前記軸４２には軸３６と交差する部分に溝部４２ａを設けており、軸３６，４２との隙間Ｓ３を設けることによって、アーム３１を外側上方に位置させた際に両アーム３１，３１は水平回動可能であり、互いの座部３２，３２の間隔が適宜調節自在な構成としたものである。
【手続補正１１】
【補正対象書類名】明細書
【補正対象項目名】００２１
【補正方法】変更
【補正の内容】
【００２１】
前記アーム３１の後方部には座部３２の取付部４３が設けられている。この取付部４３は前記アーム３１から後方に突出させるように固着したプレート４３ａの後端部に軸受部４３ｂを、さらに該軸受部４３ｂに角度規制のプレート４３ｃを設けたものである。該軸受部４３ｂと座部３２に設けられた軸受部４４をピン４５により回動自在に枢着したものである。すなわち、該座部３２は被移乗者Ｍの座位の姿勢に合わせ、適宜傾動可能であり、座部３２全面で大腿部を保持することができ、局部的に荷重がかかることがないよう構成されたものである。なお、この傾動時に支点となる軸受部４４は座部３２の前後方向の略中間部近傍に設けている。
【手続補正１２】
【補正対象書類名】明細書
【補正対象項目名】００２６
【補正方法】変更
【補正の内容】
【００２６】
さらに、図１４は挟み込み防止に関するものであり、座部３２下面に止着した風船状の袋体６４を備えている。該袋体６４には流体あるいは気体が内封されており、座部３２が移乗対象物に接触した際に袋体６４が座部３２後方に膨出するように変形し、被移乗者Ｍの大腿部を押し上げることによって座部３２と移乗対象物間での挟み込みを防止するものである。
【手続補正１３】
【補正対象書類名】明細書
【補正対象項目名】図５
【補正方法】変更
【補正の内容】
【図５】
その拡縮機構を示す説明図
【手続補正１４】
【補正対象書類名】明細書
【補正対象項目名】図９
【補正方法】変更
【補正の内容】
【図９】
背受部の回動手段を示す説明図
【手続補正１５】
【補正対象書類名】明細書
【補正対象項目名】図１０
【補正方法】変更
【補正の内容】
【図１０】
背受部の傾動機構を示す説明図
【手続補正１６】
【補正対象書類名】図面
【補正対象項目名】図２
【補正方法】変更
【補正の内容】
【図２】
2001017485.tif 000001
【手続補正１７】
【補正対象書類名】図面
【補正対象項目名】図７
【補正方法】変更
【補正の内容】
【図７】
2001017485.tif 000002